(57)【特許請求の範囲】
【請求項１】
エンジンの排気通路と吸気通路を結ぶＥＧＲ通路と、
ＥＧＲ通路の途中に介装されるＥＧＲ弁と、
ＥＧＲ通路の両端に生じる圧力差をＥＧＲ差圧Ｄｌｐとして検出するＥＧＲ差圧検出手段と、
運転条件に応じて要求ＥＧＲ量Ｔｑｅを設定する要求ＥＧＲ量設定手段と、
要求ＥＧＲ量ＴｑｅとＥＧＲ差圧Ｄｌｐに応じて要求されるＥＧＲ弁の開口面積Ａｅｖｓを演算する要求ＥＧＲ弁開口面積演算手段と、
エンジン回転数を検出するエンジン回転数検出手段と、
エンジン負荷を検出するエンジン負荷検出手段と、
エンジン回転数とエンジン負荷に応じて流量係数ａを設定する流量係数設定手段と、
前記ＥＧＲ弁及び前記ＥＧＲ通路の仕様に応じて定まる補正係数であって１を除く補正係数ｂを予め設定する補正係数設定手段と、
要求ＥＧＲ弁開口面積Ａｅｖｓと流量係数ａと補正係数ｂとに応じてＥＧＲ弁の目標開口面積ＡｅｖをＡｅｖ＝ａ×Ａｅｖｓbとして演算する目標ＥＧＲ弁開度演算手段と、
を備えることを特徴とするエンジンのＥＧＲ制御装置。
【請求項２】
吸気通路の圧力Ｐｍを検出する吸気圧力検出手段と、
排気通路の圧力Ｐｅｘｈを検出する排気圧力検出手段と
を備え、
前記ＥＧＲ差圧検出手段はＥＧＲ差圧ＤｌｐをＤｌｐ＝Ｐｅｘｈ−Ｐｍとして演算する
ことを特徴とする請求項１に記載のエンジンのＥＧＲ制御装置。
【請求項３】
吸気量を検出する吸気量検出手段と、
吸気量に応じて吸気圧Ｐｍを演算する吸気圧演算手段と、
エンジン負荷を検出するエンジン負荷検出手段と、
エンジン負荷に応じて排気圧Ｐｅｘｈを演算する排気圧演算手段と
を備え、
前記ＥＧＲ差圧検出手段はＥＧＲ差圧ＤｌｐをＤｌｐ＝Ｐｅｘｈ−Ｐｍとして演算する
ことを特徴とする請求項１に記載のエンジンのＥＧＲ制御装置。
【発明の詳細な説明】
【０００１】
【発明の属する技術分野】
本発明は、ＥＧＲ通路の両端に生じる圧力差に応じてＥＧＲ量（吸気系に還流される排気ガス量）を制御する装置の改良に関するものである。
【０００２】
【従来の技術】
自動車用エンジン等にあっては、排気ガス中の有害成分であるＮＯｘの発生を抑制するために、吸気通路に不活性の排気ガスを再循環させる、いわゆるＥＧＲ装置が設けられている。
【０００３】
しかし、吸気通路に不活性の排気ガスを再循環させてＮＯｘの発生を抑制すると、燃焼雰囲気が酸素不足となるため、排気微粒子やＨＣ、ＣＯ等の排出量が増える傾向がある。
【０００４】
このＮＯｘと排気微粒子のトレードオフの関係は、エンジン高負荷時、あるいはＥＧＲ量が多くなり空気過剰率が低い運転条件で顕著になり、ＮＯｘと排気微粒子の排出量を同時に減らすためには、ＥＧＲ量を運転条件に応じて精密に制御する必要がある。
【０００５】
ＥＧＲ量を制御する装置として、例えば特開昭５７−１４８０４８号公報に開示されたものは、エンジンに吸入される空気量と新気量をそれぞれ検出し、両者の差をＥＧＲ量と見なし、ＥＧＲ率（＝ＥＧＲ量／新気量）が目標ＥＧＲ率と一致するように、ＥＧＲ通路の開口面積がＥＧＲ弁を介して調節されるようになっている。これにより、ＥＧＲ弁を流れる排気ガスの挙動を考慮しなくても、目標のＥＧＲ率に制御でき、ＥＧＲ弁の詰まりを自己補正することができる。
【０００６】
しかし、この従来装置は、目標ＥＧＲ量に対して実測されるＥＧＲ量がずれた場合、ＥＧＲ弁の開度をどのように制御させればよいかを適合させる必要があり、例えばＰＩ制御ならば、Ｐ分Ｉ分を適合させなければならい。また、後述するように、回転数、負荷、ＥＧＲ弁開度等の運転条件により、ＥＧＲ弁の開度変化に対するＥＧＲ量の変化が一定でないため各種補正が必要であり、ＥＧＲ量を運転条件に応じて精密に制御することが難しい。
【０００７】
これに対処して、ＥＧＲ弁を流れる排気ガス流量を制御する装置として、例えば特開平２−１１８５８号公報に開示されたものは、ＥＧＲ弁の前後差圧を計測し、目標ＥＧＲ率が得られるＥＧＲ弁と吸気絞り弁の開度を調節するようになっている。これは、ＥＧＲ弁を通過する排気ガスの流れを１次元非圧縮性流体として考え、ＥＧＲ率の目標値と実測値の差分に応じて、ＥＧＲ弁の開口面積の所要変化量を求めるため、ＥＧＲ弁のアクチュエータそのものの制御定数のみを適合させればよい。
【０００８】
【発明が解決しようとする課題】
しかしながら、このような従来のエンジンのＥＧＲ制御装置にあっては、以下の問題がある。
【０００９】
まず、ＥＧＲ弁を通過する排気ガスの流れを非圧縮性定常流とすると、ＥＧＲ弁の前後差圧ΔＰとＥＧＲ量ＱおよびＥＧＲ弁の開口面積Ａの間には次のベルヌーイの式が成立する。
【００１０】
Ｑ＝ｋ×Ａ（２×ρ×ΔＰ）１／２  …（１）
ただし、ｋは流量係数、ρは排気ガスの粘性である。
【００１１】
また、ＥＧＲ弁の流路モデルとして図１２に示すように流路面積がＡ１からＡ２に拡がる管を考えると、流量係数ｋは次式で演算される。
【００１２】
ｋ＝［１−（Ａ２／Ａ１）２］−１／２  …（２）
しかし、実際にＥＧＲ弁の前後差圧ΔＰとＥＧＲ量を計測すると、式（１）より演算される要求開口面積は、図１３に示すように、実際の開口面積に対して１．４〜４．０倍の補正が必要となる。
【００１３】
これは、実際の排気ガスの流れが非定常であり、かつ圧縮性であるため、エンジン回転と負荷およびＥＧＲ弁の開口面積により、流量係数ｋが変化するものと考えられる。また、ＥＧＲ弁の形状は拡がり管と異なり、ＥＧＲ弁の表面粗さやＥＧＲ通路の曲がりによっても変化すると考えられる。
【００１４】
エンジン回転と負荷により流量係数ｋが変化する要因としては、実際にＥＧＲ弁の前後の圧力変化を計測してみると、図１４に示すように、エンジンの吸気行程と排気行程に応じた吸気・排気脈動が生じており、エンジン回転と負荷に応じてＥＧＲ弁を排気ガスが逆流することが考えられる。
【００１５】
また、特開平２−１１８５８号公報に開示された従来装置は、目標ＥＧＲ率のかわりに目標とするＥＧＲ弁の前後差圧ΔＰを目標値に近づけるようにフィードバック制御して、流量係数ｋの変化を吸収するようになっている。しかし、図１３からも明らかなように、運転条件に応じてＥＧＲ弁の開度変化に対するＥＧＲ量の変化率が異なるため、実測差圧と目標差圧の差からＥＧＲ弁の所要開口面積変化量を演算することは難しい。例えば、ＥＧＲ弁のリフトに対してＥＧＲ量の変化率が小さい運転条件でフィードバック制御のＰ分Ｉ分を適合させると、ＥＧＲ弁のリフトに対してＥＧＲ量の変化率が大きい運転条件でフィードバック制御量が過剰となり、制御ハンチングを引き起こす可能性がある。逆の場合は、フィードバック制御量が不足し、制御の応答遅れが生じる可能性がある。
【００１６】
すなわち、エンジン回転数、負荷、ＥＧＲ弁開度等の運転条件により、ＥＧＲ弁の流量係数ｋが大幅に増減するため、ＥＧＲ量の制御誤差が大きく、ＮＯｘあるいは排気微粒子の排出量が増加するという問題点がある。
【００１７】
また、ＥＧＲ量あるいはＥＧＲ率を目標値に近づけるために、ＥＧＲ弁の前後差圧の目標値を実験によりエンジン回転数、負荷に応じて設定する必要があり、例えば排気ガスの規制値に適合させるための実験工数が多くなるという問題点がある。
【００１８】
本発明は上記の問題点を鑑みてなされたものであり、ＥＧＲ通路に生じる圧力差に応じてＥＧＲ量を的確にフィードバック制御するＥＧＲ制御装置を提供することを目的とする。
【００１９】
【課題を解決するための手段】
請求項１に記載のエンジンのＥＧＲ制御装置は、エンジンの排気通路と吸気通路を結ぶＥＧＲ通路と、ＥＧＲ通路の途中に介装されるＥＧＲ弁と、ＥＧＲ通路の両端に生じる圧力差をＥＧＲ差圧Ｄｌｐとして検出するＥＧＲ差圧検出手段と、運転条件に応じて要求ＥＧＲ量Ｔｑｅを設定する要求ＥＧＲ量設定手段と、要求ＥＧＲ量ＴｑｅとＥＧＲ差圧Ｄｌｐに応じて要求されるＥＧＲ弁の開口面積Ａｅｖｓを演算する要求ＥＧＲ弁開口面積演算手段と、エンジン回転数を検出するエンジン回転数検出手段と、エンジン負荷を検出するエンジン負荷検出手段と、エンジン回転数とエンジン負荷に応じて流量係数ａを設定する流量係数設定手段と、前記ＥＧＲ弁及び前記ＥＧＲ通路の仕様に応じて定まる補正係数であって１を除く補正係数ｂを予め設定する補正係数設定手段と、要求ＥＧＲ弁開口面積Ａｅｖｓと流量係数ａと補正係数ｂとに応じてＥＧＲ弁の目標開口面積ＡｅｖをＡｅｖ＝ａ×Ａｅｖｓbとして演算する目標ＥＧＲ弁開度演算手段とを備えるものとした。
【００２１】
請求項２に記載のエンジンのＥＧＲ制御装置は、請求項１に記載の発明において、吸気通路の圧力Ｐｍを検出する吸気圧力検出手段と、排気通路の圧力Ｐｅｘｈを検出する排気圧力検出手段とを備え、前記ＥＧＲ差圧検出手段はＥＧＲ差圧ＤｌｐをＤｌｐ＝Ｐｅｘｈ−Ｐｍとして演算するものとした。
【００２２】
請求項３に記載のエンジンのＥＧＲ制御装置は、請求項１に記載の発明において、吸気量を検出する吸気量検出手段と、吸気量に応じて吸気圧Ｐｍを演算する吸気圧演算手段と、エンジン負荷を検出するエンジン負荷検出手段と、エンジン負荷に応じて排気圧Ｐｅｘｈを演算する排気圧演算手段とを備え、前記ＥＧＲ差圧検出手段はＥＧＲ差圧ＤｌｐをＤｌｐ＝Ｐｅｘｈ−Ｐｍとして演算するものとした。
【００２３】
【発明の作用および効果】
請求項１に記載のエンジンのＥＧＲ制御装置において、要求ＥＧＲ弁開口面積Ａｅｖｓは、ＥＧＲ弁を通過する排気ガスの流れを非圧縮性定常流として、ベルヌーイの式から導かれる。しかしながら、実際の排気ガスは圧縮性非定常流であり、エンジン回転数、エンジン負荷、ＥＧＲ弁の開度等によって流量係数が変化するため、要求ＥＧＲ弁開口面積Ａｅｖｓによって調節されるＥＧＲ量が目標ＥＧＲ量ＴＱｅと大幅に相違する可能性がある。
【００２４】
これに対処して、流量係数設定手段はエンジン回転数とエンジン負荷に応じて流量係数ａを演算し、補正係数設定手段は、ＥＧＲ弁及びＥＧＲ通路の仕様に応じて定まる補正係数であって１を除く補正係数ｂを予め設定し、目標ＥＧＲ弁開口面積演算手段は要求ＥＧＲ弁開口面積Ａｅｖｓと流量係数ａと補正係数ｂとに応じてＥＧＲ弁の目標開口面積ＡｅｖをＡｅｖ＝ａ×Ａｅｖｓbとして演算する。
【００２５】
図５はエンジンの回転数Ｎｅと発生トルクをそれぞれ変えてＥＧＲ弁の要求開口面積（差圧、ＥＧＲ量とからベルヌーイの式から求まる）と必要開口面積（幾何学的形状によって決まる）の関係を示している。これから両者の間にはｙ＝ａ×ｘｂの関係があり、係数ａはエンジン回転数と負荷に応じて変化し、傾きｂが一定であることがわかる。
【００２６】
したがって、本発明は、係数ａをエンジン回転数と負荷に応じて変化させ、目標ＥＧＲ弁開口面積Ａｅｖを要求ＥＧＲ弁開口面積Ａｅｖｓと流量係数ａに応じて演算する構成により、ＥＧＲ量を精密に制御することができる。
【００２８】
図６は、ＥＧＲ弁の幾何学的形状とＥＧＲ通路の管形状およびエンジンの吸・排気系の管形状をそれぞれ変えてＥＧＲ弁の上記要求開口面積と必要開口面積の関係を示している。これから両者の間にはｙ＝ａ×ｘｂの関係があり、傾きｂが流路の幾何学的形状に応じて変化することがわかる。
【００２９】
したがって、本発明は、傾きｂをＥＧＲ弁の開度（流路の幾何学的形状）に応じて変化させ、目標ＥＧＲ弁開口面積ＡｅｖをＡｅｖ＝ａ×Ａｅｖｓｂとして演算する構成により、ＥＧＲ量を精密に制御することができる。
【００３０】
請求項２に記載のエンジンのＥＧＲ制御装置において、吸気通路の圧力Ｐｍと排気通路の圧力Ｐｅｘｈがそれぞれ検出され、ＥＧＲ差圧Ｄｌｐは排気通路と吸気通路の圧力差Ｐｅｘｈ−Ｐｍとして演算される。これにより、ＥＧＲ差圧ＤｌｐはＥＧＲ通路の前後差圧となり、ＥＧＲ量が少ない運転時でもＥＧＲ差圧Ｄｌｐに応じて目標ＥＧＲ量ＴＱｅに対する要求ＥＧＲ弁開口面積Ａｅｖｓを的確に算出することができる。
【００３１】
請求項３に記載のエンジンのＥＧＲ制御装置において、吸気量に応じて吸気圧Ｐｍを演算し、エンジン負荷に応じて排気圧Ｐｅｘｈを演算する。こうして求められる吸気圧Ｐｍと排気圧Ｐｅｘｈに応じて、ＥＧＲ差圧ＤｌｐをＤｌｐ＝Ｐｅｘｈ−Ｐｍとして演算する。これにより、ＥＧＲ差圧ＤｌｐはＥＧＲ通路の前後差圧となり、ＥＧＲ量が多い運転時でもＥＧＲ差圧Ｄｌｐに応じて目標ＥＧＲ量ＴＱｅに対する要求ＥＧＲ弁開口面積Ａｅｖｓを的確に算出することができる。
【００３２】
【発明の実施の形態】
以下、本発明の実施形態を添付図面に基づいて説明する。
【００３３】
図１に示すように、ディーゼルエンジンに備えられる分配型燃料噴射ポンプは、燃料がドライブシャフト５２により駆動されるフィードポンプ５３によって吸引され、フィードポンプ５３からポンプ室５５に供給された燃料は、吸入ポート５６を通って高圧プランジャポンプ５７に送られる。
【００３４】
プランジャポンプ５７のプランジャ５８は、継手７９を介してドライブシャフト５２によりエンジン回転に同期して、エンジン回転数の１／２の速度で回転駆動される。
【００３５】
プランジャ５８に固定されたカムディスク５９は、エンジンの気筒数と同数のフェイスカムをもち、回転しながらローラリング６１に配設されたローラ６２を乗り越えるたびに、スプリング６９に抗してプランジャ５８を所定のカムリフトだけ往復運動する。プランジャ５８の回転往復運動により、吸入ポート５６からプランジャ５８に刻まれた吸入スリットを介してプランジャ高圧室５４に吸引された燃料が分配ポート６３よりデリバリーバルブ６４を通って各気筒の図示しない噴射ノズル７７へと圧送される。
【００３６】
プランジャ５８が図中右側に移動してプランジャ高圧室５４から分配スリットを経て分配ポート６３へと燃料を圧送する過程で、カットオフポートの開口部がコントロールスリーブ６６の図中右側端部を越えると圧送されていた燃料が低圧ポンプ室５へと開放される。
【００３７】
燃料噴射量は、プランジャ５８に形成されたカットオフポートを開閉するコントロールスリーブ６６の位置によって決められる。すなわち、コントロールスリーブ６６を図中右側に変位させると、燃料噴射時期が遅くなって燃料噴射量が増加し、図中左側に変位させると燃料噴射時期が早まって燃料噴射量が減少するのである。
【００３８】
コントロールスリーブ６６の位置を自動的に調節する電子制御式ガバナとしてロータリソレノイド７１が設けられる。ロータリソレノイド７１はロータ７２を回転運動させ、その先端に偏心して設けられたボールを介してコントロールスリーブ６６を直線運動させる。
【００３９】
燃料噴射時期は、タイマーピストン７５によりローラリング６１を介してフェイスカムをローラ６２に対して相対回転させることによって調整される。タイマーヒストン７５の両端部に作用する油圧差をデューティソレノイドバルブ７６を介して調節することにより、タイマーピストン７５を移動させてローラリング６１を回転させ、フェイスカムがローラ６２に乗り上げる時期を変化させるようになっている。
【００４０】
ロータリソレノイド７１とデューティソレノイドバルブ７６の制御手段として備えられるコントロールユニット７０は、ロータリソレノイド７１の制御電圧を予めマップ情報として設定し、スタータスイッチ８０からの信号、アクセル開度センサ８１によって検出されるアクセル開度Ａｃｃ、ポンプ回転数センサ８２によって検出されるエンジン回転数Ｎｅ、水温センサ８３によって検出されるエンジン水温Ｔｗ、ノズルリフトセンサ８４によって検出される噴射ノズル７７の開弁時期等を入力し、これら検出された運転条件に応じて適切な燃料噴射量と燃料噴射時期を演算し、演算された燃料噴射量をロータリソレノイド７１の制御電圧に変換して出力するとともに、演算された燃料噴射時期をデューティソレノイドバルブ７６のデューティ信号として出力する。なお、図中６５は燃料温度センサである。
【００４１】
図２はディーゼルエンジンに備えられるＥＧＲ装置の概略を示している。エンジンの排気通路２と吸気通路１のインテークマニホールド８を結ぶＥＧＲ通路３が設けられ、ＥＧＲ通路３の途中にはＥＧＲ弁４が介装される。ＥＧＲ弁４の開度が大きくなるほど、ＥＧＲ通路３を介して吸気通路１に還流されるＥＧＲ量は増大する。ＥＧＲ弁４はステップモータ５によって駆動される。ステップモータ５のステップ数がコントロールユニット３０によりエンジン運転条件に応じて制御されることにより、ＥＧＲ弁４の開度が調節される。
【００４２】
吸気通路１にはＥＧＲ通路３の合流部より上流側にバタフライ式の吸気絞り弁９が介装される。吸気絞り弁９はダイヤフラム式アクチュエータ６を介して開閉作動する。吸気絞り弁９より下流側の吸気通路１には、吸気絞り弁９の開度が小さくなるのに伴って吸入負圧が発生し、ＥＧＲ通路３を介して吸気通路１に還流されるＥＧＲ量が増大する。
【００４３】
ダイヤフラム式アクチュエータ６は、バキュームポンプ（図示せず）から電磁弁２１を介して導かれる負圧と、電磁弁２２とオリフィス２３を介して導かれる負圧に応じて作動する。電磁弁２１と電磁弁２２の開度がコントロールユニット３０によりエンジン運転条件に応じて制御されることにより、吸気絞り弁９の開度が調節される。
【００４４】
吸気通路１の絞り弁９より上流側に熱線式のエアフロメータ１２が介装される。通電により加熱されるホットワイヤ（発熱抵抗体）はその抵抗値が吸入空気量に応じて変化するので、吸入新気量Ｑａｃに応じた信号を出力する。
【００４５】
吸気通路１の絞り弁９より下流側のインテークマニホールド８に吸気圧センサ１３が介装される。吸気圧センサ１３はインテークマニホールド８の吸気圧力Ｐｍに応じた信号を出力する。
【００４６】
排気通路２に排気圧センサ１４が介装される。排気圧センサ１４は排気通路２の排気圧力Ｐｅｘｈに応じた信号を出力する。
【００４７】
コントロールユニット３０は、図３に示すように、エンジン運転条件に応じて目標ＥＧＲ量を設定する目標ＥＧＲ量設定手段３１を備える。目標ＥＧＲ量設定手段３１は、エンジン運転条件を代表する信号として、例えばエンジン回転数Ｎｅ、燃料噴射量Ｑｆ、燃料噴射時期、エンジン冷却水温、あるいはエンジン油温等を表す信号を入力し、これらに基づいて所定のＥＧＲ領域を判定する。このＥＧＲ領域で、エンジン回転数Ｎｅ、燃料噴射量Ｑｆに応じて予め設定された目標ＥＧＲ率Ｍｅｇｒと吸入新気量Ｑａｃに応じて目標ＥＧＲ量ＴＱｅを演算する。
【００４８】
ＥＧＲ差圧検出手段３２は、吸気圧センサ１３によって検出される吸気圧力Ｐｍと、排気圧センサ１４によって検出される排気圧力Ｐｅｘｈとに応じて、ＥＧＲ差圧ＤｌｐをＤｌｐ＝Ｐｅｘｈ−Ｐｍとして演算する。ＥＧＲ差圧ＤｌｐはＥＧＲ通路３の前後差圧となるため、ＥＧＲ差圧Ｄｌｐに応じて目標ＥＧＲ量ＴＱｅに対する要求ＥＧＲ弁開口面積Ａｅｖｓを的確に算出することができる。
【００４９】
図７に示すように、吸気圧と排気圧は実際に脈動しているが、ＥＧＲ差圧Ｄｌｐは両者を平均化した圧力差として演算している。これにより、コントロールユニット３０における負担を軽減するとともに制御安定性を確保できる。
【００５０】
要求ＥＧＲ弁開口面積演算手段３３は、要求ＥＧＲ量ＴＱｅとＥＧＲ差圧Ｄｌｐに応じて、要求ＥＧＲ弁開口面積ＡｅｖｓをＡｅｖｓ＝ＴＱｅ／（２×ＲＯＵ＃×Ｄｌｐ）−１／２として演算する。ただしＲＯＵ＃は、排気ガスの粘性である。
【００５１】
この要求ＥＧＲ弁開口面積Ａｅｖｓは、ＥＧＲ弁４を通過する排気ガスの流れを非圧縮性定常流として、ベルヌーイの式から導かれる。しかしながら、実際の排気ガスは圧縮性非定常流であり、エンジン回転数Ｎｅ、エンジン負荷、ＥＧＲ弁４の開度等によって流量係数が変化するため、要求ＥＧＲ弁開口面積Ａｅｖｓによって調節されるＥＧＲ量が目標ＥＧＲ量ＴＱｅと大幅に相違する可能性がある。
【００５２】
これに対処して、流量係数設定手段３６は、エンジン回転数検出手段３４として設けられるポンプ回転数センサ８２によって検出されるエンジン回転数Ｎｅと、エンジン負荷検出手段３５からの負荷信号として燃料噴射量Ｑｆを入力し、燃料噴射量Ｑｆに応じて流量係数ａを演算する。
【００５３】
また、補正係数設定手段３７は、ＥＧＲ弁４の開度に応じて補正係数ｂを設定する。
【００５４】
そして、目標ＥＧＲ弁開口面積演算手段３８は、目標ＥＧＲ弁開口面積ＡｅｖをＡｅｖ＝ａ×Ａｅｖｓｂとして演算する。
【００５５】
続いて、ＥＧＲ弁面積リフト量変換手段３９は、目標ＥＧＲ弁開口面積Ａｅｖに応じてＥＧＲ弁４のリフト量Ｔｌｉｆｔを演算する。
【００５６】
続いて、ＥＧＲ弁駆動手段４０はリフト量Ｔｌｉｆｔに応じてステップモータ５に出力するステップ数を演算する。
【００５７】
図５はエンジンの回転数Ｎｅと発生トルクをそれぞれ変えてＥＧＲ弁４の要求開口面積（差圧、ＥＧＲ量とからベルヌーイの式から求まる）と必要開口面積（幾何学的形状によって決まる）の関係を示している。これから両者の間にはｙ＝ａ×ｘｂの関係があり、係数ａはエンジン回転数と負荷に応じて変化し、傾きｂが一定であることがわかる。
【００５８】
図６は、ＥＧＲ弁４の幾何学的形状とＥＧＲ通路３の管形状およびエンジンの吸・排気系の管形状をそれぞれ変えてＥＧＲ弁４の上記要求開口面積と必要開口面積の関係を示している。これから両者の間にはｙ＝ａ×ｘｂの関係があり、傾きｂが変化することがわかる。
【００５９】
したがって、本発明は、係数ａをエンジン回転数と負荷に応じて変化させ、傾きｂをＥＧＲ弁４の開度（流路の幾何学的形状）に応じて変化させ、目標ＥＧＲ弁開口面積ＡｅｖをＡｅｖ＝ａ×Ａｅｖｓｂとして演算する構成により、図８に示すように、ＥＧＲ量を精密に制御することができる。
【００６０】
図４のフローチャートはＥＧＲ弁４のリフト量を制御するルーチンを示しており、コントロールユニット３０において一定周期毎に実行される。
【００６１】
これについて説明すると、Ｓｔｅｐ１にて吸気圧センサ１３によって検出される吸気圧力Ｐｍを読込む。
【００６２】
続いてＳｔｅｐ２に進んで、排気圧センサ１４によって検出される排気圧力Ｐｅｘｈを読込む。
【００６３】
続いてＳｔｅｐ３に進んで、ＥＧＲ差圧ＤｌｐをＤｌｐ＝Ｐｅｘｈ−Ｐｍとして演算する。
【００６４】
一方、Ｓｔｅｐ４にて、エンジン運転条件を代表する信号として、エンジン回転数Ｎｅ、燃料噴射量Ｑｆ等に応じて予め設定された目標ＥＧＲ率Ｍｅｇｒを検索する。
【００６５】
続いてＳｔｅｐ５に進んで、エアフロメータ１２によって検出される吸入新気量Ｑａｃを読込む。
【００６６】
続いてＳｔｅｐ６に進んで、目標ＥＧＲ量ＴＱｅを目標ＥＧＲ率Ｍｅｇｒと吸入新気量Ｑａｃに応じて、ＴＱｅ＝Ｍｅｇｒ×Ｑａｃとして演算する。
【００６７】
続いてＳｔｅｐ７に進んで、要求ＥＧＲ弁開口面積Ａｅｖｓを要求ＥＧＲ量ＴＱｅとＥＧＲ差圧Ｄｌｐに応じて、Ａｅｖｓ＝ＴＱｅ／（２×ＲＯＵ＃×Ｄｌｐ）−１／２として演算する。ただしＲＯＵ＃は、排気ガスの粘性である。
【００６８】
一方、Ｓｔｅｐ８にて、流量係数ａをエンジン回転数Ｎｅと燃料噴射量Ｑｆに応じて検索する。
【００６９】
続いてＳｔｅｐ９に進んで、流量係数ａと要求ＥＧＲ弁開口面積Ａｅｖｓに応じて目標ＥＧＲ弁開口面積ＡｅｖをＡｅｖ＝ａ×Ａｅｖｓｂとして演算する。ただし、係数ｂはＥＧＲ弁４の開度に応じて予め設定された値である。
【００７０】
続いてＳｔｅｐ１０に進んで、目標ＥＧＲ弁開口面積Ａｅｖに対するＥＧＲ弁４のリフト量Ｔｌｉｆｔを検索する。
【００７１】
続いてＳｔｅｐ１１に進んで、リフト量Ｔｌｉｆｔに応じたステップ数をステップモータ５に出力する。
【００７２】
次に、図９に示す実施形態について説明する。なお、図２との対応部分には同一符号を付す。
【００７３】
前記実施形態では排気圧センサ１４と吸気圧センサ１３の圧力検出精度は±１０ｍｍＨｇ程度の誤差があるため、ＥＧＲ量が増えて排気通路３と吸気通路１の圧力差Ｐｅｘｈ−Ｐｍが小さくなる運転領域ではＥＧＲ差圧Ｄｌｐを的確に検出することが難しい。
【００７４】
排気圧センサ１４と吸気圧センサ１３は、排気ガスまたはＥＧＲガスにさらされるため、熱劣化や検出部のつまり等を起こして検出精度が悪化する可能性がある。
【００７５】
これに対処して、本実施形態では、吸入新気量と新気温度から吸気圧を演算し、吸入新気量と燃料噴射量およびエンジン回転数から排気圧を演算し、これら演算値によりＥＧＲ差圧Ｄｌｐを演算して、ＥＧＲ量を的確に制御するものである。
【００７６】
図１０のフローチャートは吸気圧Ｐｍを演算するルーチンを示しており、コントロールユニット３０において一定周期毎に実行される。
【００７７】
これについて説明すると、Ｓｔｅｐ１にてエアフロメータ１２の出力電圧を読込み、単位時間当たりの吸気重量Ｑａｓ０に変換する。
【００７８】
続いてＳｔｅｐ２に進んで、吸気重量Ｑａｓ０とエンジン回転数Ｎｅに応じて単位サイクル当たりの吸気量Ｑａｃｂを演算する。
【００７９】
続いてＳｔｅｐ３に進んで、吸気通路１の流路形状に対するエアフロメータ１２の出力の補正を行うため、吸気量Ｑａｃｂをエンジン回転数Ｎｅにに応じて補正した吸入新気量Ｑａｃに変換する。
【００８０】
一方、Ｓｔｅｐ４にて、エンジン回転数Ｎｅと吸入新気量Ｑｓｏｌに応じて補正係数ＫｉｎＨＱを検索する。
【００８１】
また、Ｓｔｅｐ５にて、エンジン回転数Ｎｅと吸気量Ｑａｃ（負荷）に応じて補正係数ＫｉｎＨ２を検索する。
【００８２】
続いてＳｔｅｐ６に進んで、体積効率相当値ＫｉｎをＫｉｎ＝ＫｉｎＨＱ×ＫｉｎＨ２として演算する。
【００８３】
一方、Ｓｔｅｐ７にて、吸気温度センサ１８の出力電圧を吸気温度Ｔａ０に変換する。
【００８４】
続いてＳｔｅｐ８に進んで、吸気圧に対する温度上昇を補正し、吸入新気温度Ｔｉｎｔとして出力する。
【００８５】
続いてＳｔｅｐ９に進んで、吸気圧指数ＣｐｍをＣｐｍ＝Ｑａｃ×Ｔｉｎｔ÷Ｋｉｎとして演算する。
【００８６】
続いてＳｔｅｐ１０に進んで、吸気圧ＰｍをＰｍ＝Ｋｐｍ＃×Ｃｐｍ＋Ｏｐｍ＃として演算する。
【００８７】
図１１のフローチャートは排気圧Ｐｅｘｈを演算するルーチンを示しており、コントロールユニット３０において一定周期毎に実行される。
【００８８】
これについて説明すると、Ｓｔｅｐ１にて燃料噴射量Ｑｆに応じた基本排気温度を検索する。
【００８９】
続いてＳｔｅｐ２に進んで、スワール制御弁開度に応じて基本排気温度を補正し、補正基本排気温度Ｔｅｘｈｉに変換する。なお、図示しないスワール制御弁は吸気通路に介装され、運転条件に応じてシリンダに流入する吸気流速を変えて、シリンダにスワールを生起するようになっている。
【００９０】
Ｓｔｅｐ３にて、吸気温度補正係数Ｋｔｍｐｅを吸気温度Ｔｎｅ／ＴＡ＃に応じて検索する。
【００９１】
Ｓｔｅｐ４にて、排気圧力補正係数Ｋｔｍｐｐを排気圧力Ｐｅｘｈ／ＰＡ＃に応じて検索する。
【００９２】
Ｓｔｅｐ５にて、噴射時期補正係数Ｋｔｍｐｉｔを噴射時期ＩＴＴＤＣ＃等に応じてＫｔｍｐｉｔ＝（ＩＴＴＤＣ−Ｉｔｉｓｔｄ）／ＩＴＴＤＣ＃×ＧＩＴ−Ｔｅｘｈｉ＃＋１演算する。
【００９３】
続いてＳｔｅｐ６に進んで、排気温度相当値ＴｍｐｅｈをＴｍｐｅｈ＝Ｋｔｅｘｈｉ×Ｋｔｍｐｅ×Ｋｔｍｐｐ×Ｋｔｍｐｉｔとして演算する。
【００９４】
一方、Ｓｔｅｐ７にて、吸気量Ｑａｃに応じて、吸気行程と排気行程の差分だけサイクル処理し、作動排気ガス量Ｑｅｘｈとして出力する。
【００９５】
続いてＳｔｅｐ８に進んで、排気圧力指数Ｃｐｅｘｈを算出し、Ｓｔｅｐ９に進んで、排気圧ＰｅｘｈをＰｅｘｈ＝Ｋｐｅｘｈ＃×Ｃｐｅｘｈ＋Ｏｐｅｘｈ＃として演算する。
【００９６】
こうして求められる吸気圧Ｐｍと排気圧Ｐｅｘｈに応じて、ＥＧＲ差圧ＤｌｐをＤｌｐ＝Ｐｅｘｈ−Ｐｍとして演算する。これにより、ＥＧＲ差圧ＤｌｐはＥＧＲ通路の前後差圧となり、ＥＧＲ量が多い運転時でもＥＧＲ差圧Ｄｌｐに応じて目標ＥＧＲ量ＴＱｅに対する要求ＥＧＲ弁開口面積Ａｅｖｓを的確に算出することができる。
【図面の簡単な説明】
【図１】本発明の実施形態を示す燃料噴射ポンプの断面図。
【図２】同じくＥＧＲ装置のシステム図。
【図３】同じく制御系の構成図。
【図４】同じく制御内容を示すフローチャート。
【図５】同じくＥＧＲ弁の要求開口面積と必要開口面積の関係を示す特性図。
【図６】同じくＥＧＲ弁の要求開口面積と必要開口面積の関係を示す特性図。
【図７】同じく吸気圧と排気圧等の関係を示す特性図。
【図８】同じくＥＧＲ制御精度を示す特性図。
【図９】他の実施形態を示す制御内容を示すフローチャート。
【図１０】同じく制御内容を示すフローチャート。
【図１１】同じく制御内容を示すフローチャート。
【図１２】従来例を示すＥＧＲ弁のモデル図。
【図１３】同じくＥＧＲ弁補正係数と要求開口面積と必要開口面積の関係を示す特性図。
【図１４】同じく吸気圧と排気圧等の関係を示す特性図。
【符号の説明】
１  吸気通路
２  排気通路
３  ＥＧＲ通路
４  ＥＧＲ弁
５  ステップモータ
６  アクチュエータ
９  吸気絞り弁
１２  エアフロメータ
１３  吸気圧センサ
１４  排気圧センサ
１８  吸気温度センサ
３０  コントロールユニット
３１  要求ＥＧＲ量設定手段
３２  ＥＧＲ差圧検出手段
３３  要求ＥＧＲ弁開口面積演算手段
３４  エンジン回転数検出手段
３５  エンジン負荷検出手段
３６  流量係数設定手段
３７  ＥＧＲ弁開度に対する補正係数設定手段
３８  目標ＥＧＲ弁開口面積演算手段
３９  ＥＧＲ弁面積リフト量変換手段
４０  ＥＧＲ弁駆動手段
【図１】
0003629876.tif 000002
【図２】
0003629876.tif 000003
【図３】
0003629876.tif 000004
【図４】
0003629876.tif 000005
【図５】
0003629876.tif 000006
【図６】
0003629876.tif 000007
【図７】
0003629876.tif 000008
【図８】
0003629876.tif 000009
【図９】
0003629876.tif 000010
【図１０】
0003629876.tif 000011
【図１１】
0003629876.tif 000012
【図１２】
0003629876.tif 000013
【図１３】
0003629876.tif 000014
【図１４】
0003629876.tif 000015